(57)【要約】熱源を必要としない経済的な衣類乾燥システム。衣類を受けるための回転式の円筒形のバスケット（１０）、衣類を乾燥するために空気を供給する送風ユニット（２１）、塵埃を取り除くためのフィルタユニット（５）；衣類バスケットの操作のために両方向に回転出来るモータ（１２）、及び衣類清涼システム（１７）を含有する。本システムは、ガス供給がなく、また、強力な電源の無いあらゆるアパートメント、ビル、及び産業において使用が可能である。本衣類乾燥機は、屋内又は屋外ユニットとして、特にバルコニーにおいて使用可能である。
2005500872.tif 000002
【特許請求の範囲】
【請求項１】
バスケット（２０）、バスケットに空気を供給する送風ユニット（図４）を含む、熱源を必要としない衣類乾燥プロセスを用いる、特に家庭用の衣類乾燥機。
【請求項２】
マトリックス（matrix）又は網及び円形状に形成されたポール（９、１０）の構造を有する回転バスケットを利用する：請求項１の衣類乾燥機。
【請求項３】
閉じられた引き出しのように構築された取り外し可能な送風ユニット（図４）を用いる：請求項１の衣類乾燥機。
【請求項４】
衣類を乾燥させるために直接的に高速の空気流（１９）を送り込む：請求項１及び４のプロセス。
【請求項５】
幅広の遠心ファン（１５、１６）を有する送風ユニットが、全部位にバランスよく空気流（１９）を提供する：請求項１及び３に記載の衣類乾燥機。
【請求項６】
送風ユニットがバスケット内の衣類を清涼せしめる蒸発物質を提供するための容器（１７）を有する：請求項４及び５の衣類乾燥機。
【請求項７】
フィルタユニット（５）が、塵埃を除去し、容易に洗浄できる：請求項３、４、５の衣類乾燥機。
【請求項８】
乾燥機から空気を排出するために窓（１）を利用する：請求項１の衣類乾燥機。
【発明の詳細な説明】
【技術分野】
【０００１】
（背景技術及び発明の概要）
本発明は衣類乾燥機、特に家庭用のものに関する。従来の衣類乾燥機では、空気流は主に水平であり、いくつかの形式においては、それを操作の為の最も高価な装置の一つにする電気要素又はガスにより加熱され、長時間稼動させればさせるほど、より費用がかかるものである。衣類乾燥機の電気代又はガス代の大部分は空気の加熱によるものである。
【０００２】
近い将来、そのような製品の使用を最小限にする規制が電気製品の製造に対してなされることになるであろう。他の重要な問題としては、発電所による大気汚染があり、電力の増加により、大気汚染が増大する。
【０００３】
本発明は、いかなる熱源（ガス又は発熱体）をも必要としない独自のシステムでのプロセスを利用する。そのプロセスとは、衣類を乾燥させるのに風が利用されるという事実に基づくものである。
【０００４】
つまり、本発明の目的の１つは衣類を乾燥させるためのエネルギーの使用が最小限であるシステムを提供することである。本発明の他の目的は、非常に簡易に構築できるシステムであって、調整が容易であって、操業が安価であるものを提供することである。本発明の更なる目的は、衣類より発生する糸くずを防止し、衣類の品質を維持し、使用後毎回フィルタを清掃する必要がないようにすることである。
【０００５】
本発明の更なる目的は、環境温度を利用することにより火災の恐れなく操作するための安全な製品を提供することである。
【発明の開示】
【０００６】
本発明の衣類乾燥機は、幾つかのモデルにおける発熱体又はバーナー（burner）を必要としない。
乾燥機システムは、前面投入ドア（１）を含み、そのドアを介して衣類が投入され、このドア又は開口部は、開き戸又は、ねじ止め式もしくは差込型蓋よりなることができる。
【０００７】
乾燥機のメインキャビネット内にはドアスイッチがあり、乾燥機のドアが閉められると、スイッチに接触し、乾燥機システムが稼動する。
【０００８】
本発明によると、好ましい乾燥機のバスケットは、横軸（１４）、バスケット補助フレーム（１３）を有し、水平であり、ボールベアリング（１８）で回転する。衣類を保持する回転バスケット又はその一部は、円形状に形成されたポール（９）を有し、マトリックス（matrix）又は網（１０）のような特定の構造に構築され、バスケットを通じての空気の流れの抵抗を減少させる。それは、正方形（１０）、長方形、リング状、又は他の形状というように異なる構造を有してもよい。
【０００９】
本バスケットは、従来の乾燥機のバスケットよりもかなり大きく、乾燥プロセスの効果を向上させる発熱システム及び排気ファンを完全に取り除くことにより得られる。
【００１０】
有孔乾燥機バスケットの構造に好ましい材質としては、ステンレス鋼があるが、他の材質であっても、互換的に機能することができる。
【００１１】
モータ（１２）により稼動されるバスケットは、ドライブベルト（１１）を使用し、両方向に回転することができる。一方で、バスケットは回転する衣類を保持する。衣類及び衣類の水分を乾燥させるよう回転する際に、送風ユニット（ventilation unit）（図４）は衣類を通して流れる直接的な高速の送風（１９）を提供する。もちろん、乾燥時間を短縮するために、送風ユニットは発熱体を含有しても良い。
【００１２】
送風ユニットは、バスケットの低側部に設置され、さらに乾燥機の両側に設置してもよい。
【００１３】
このシステムは、バスケット及び乾燥機キャビネットの間の空間を利用する。取り扱いが容易なように、取り外し可能な引き出しのように一部として（図４）構築する。空気は衣類乾燥機の外側より供給され、完全に空気を清浄するための塵埃を取り除くフィルタシステム（５）を通過する。フィルタシステムは、ヒンジ（６）を有し水平ドアのように構築され、フィルタより塵埃を清掃するために開けることができる。
【００１４】
本システムは、また、空気流に乗って衣類を通り抜け衣類を清涼せしめる香水といったような蒸発物質を補充するための取り外し可能な容器（１７）を含む。さらに、送風ユニットは固定ユニット又はメインキャビネットの一部として構成することもできる。
【００１５】
オペレーティングシステムは、タイマー（２）を含み、単純な時計のような機械装置でよく、又は完全に電子化されたもの、数値表示装置（digital readout）であってもよい。選択スイッチ−本乾燥機は１以上のスイッチをコントロールパネル（３）上に有しており、（付加的に）風速を調節することができる。
【図面の簡単な説明】
【００１６】
【図１】本発明の衣類乾燥機及び空気流回路を示す透視概略図である。
【図２】図１に示された衣類乾燥機の前部の構成部分の透視図である。
【図３】図１に示された衣類乾燥機の奥部の構成部分の透視図である。
【図４】本発明の取り外し可能な送風ユニットを示す図である。
【符号の説明】
【００１７】
１    ドア
２    タイマー
３    コントロールパネル
５    フィルタシステム
６    ヒンジ
９    ポール
１０  網
１１  ドライブベルト
１２  モータ
１３  バスケット補助フレーム
１４  横軸
１８  ボールベアリング
１９  高速の送風
２１  送風ユニット
【図１】
2005500872.tif 000003
【図２】
2005500872.tif 000004
【図３】
2005500872.tif 000005
【図４】
2005500872.tif 000006
【国際公開パンフレット】
2005500872.tif 000007
2005500872.tif 000008
2005500872.tif 000009
2005500872.tif 000010
2005500872.tif 000011
2005500872.tif 000012
【国際公開パンフレット（コレクトバージョン）】
2005500872.tif 000013
【国際調査報告】
2005500872.tif 000014
2005500872.tif 000015